(57)【要約】【課題】廃棄物の材質判別装置において、対象物（廃棄物）の材質を精度よく判別する。【解決手段】カメラ１１０から入力された、廃棄物２００の像を含む画像情報Ｓに基づいて、廃棄物２００の形状に関する形状情報Ｍ１を取得する形状情報取得部１０と、廃棄物２００の色に関する色情報Ｍ２を取得する色情報取得部２０と、廃棄物２００の表面のざらつき感に関する質感情報Ｍ３を取得する質感情報取得部３０と、形状情報取得部１０により取得された形状情報Ｍ１と色情報取得部２０により取得された色情報Ｍ２と質感情報取得部３０により取得された質感情報Ｍ３とに基づいて廃棄物２００の材質を判別する材質判別部４０と、を備える。【選択図】図１
2010038689.tif 000002
【特許請求の範囲】
【請求項１】
入力された、廃棄物の像を含む画像情報に基づいて、前記廃棄物の形状に関する形状情報、前記廃棄物の色に関する色情報および前記廃棄物の表面のざらつき感に関する質感情報を取得し、
取得された前記形状情報、前記色情報および前記質感情報に基づいて、前記廃棄物の材質を判別することを特徴とする廃棄物の材質判別方法。
【請求項２】
前記形状情報に基づいて前記廃棄物の材質候補を判別して第１の判別結果を得、
前記色情報に基づいて前記廃棄物の材質候補を判別して第２の判別結果を得、
前記質感情報に基づいて前記廃棄物の材質候補を判別して第３の判別結果を得、
これら得られた前記第１の判別結果、前記第２の判別結果および第３の判別結果に対して所定の重み付けを行うことにより、前記廃棄物の材質を特定することを特徴とする請求項１に記載の廃棄物の材質判別方法。
【請求項３】
前記色情報は、前記画像情報のうち前記廃棄物の像の色彩を表す色彩情報に基づいて取得し、
前記質感情報は、前記画像情報のうち前記廃棄物の像の明度差のばらつきを表す明度差ばらつき情報に基づいて取得することを特徴とする請求項１または２に記載の廃棄物の材質判別方法。
【請求項４】
前記色彩情報は、前記画像情報をＣＩＥ表色系Ｌ＊ａ＊ｂ＊で表したときのａ＊値およびｂ＊値により規定され、
前記明度は、前記画像情報をＣＩＥ表色系Ｌ＊ａ＊ｂ＊で表したときのＬ＊値により規定され、前記明度差ばらつき情報は、前記Ｌ＊値で規定された座標系に対してラプラシアンフィルタ処理を施し、前記ラプラシアンフィルタ処理後の座標系における標準偏差を算出することにより規定されることを特徴とする請求項３に記載の廃棄物の材質判別方法。
【請求項５】
前記形状情報は、前記画像情報に対してエッジ抽出処理を施して輪郭形状を検出することにより得ることを特徴とする請求項１から４のうちいずれか１項に記載の廃棄物の材質判別方法。
【請求項６】
前記入力された画像情報が表す画像のうち、前記材質を判別しようとする対象の前記廃棄物の像を含む領域を予め特定し、
特定された領域に対応する画像情報を特定領域画像情報として抽出し、
前記抽出された前記特定領域画像情報に基づいて、前記形状情報、前記色情報および前記質感情報を取得して、前記廃棄物の材質を判別することを特徴とする請求項１から５のうちいずれか1項に記載の廃棄物の材質判別方法。
【請求項７】
前記廃棄物が建設系廃棄物であることを特徴とする請求項１から６のうちいずれか１項に記載の廃棄物の材質判別方法。
【請求項８】
入力された、廃棄物の像を含む画像情報に基づいて、前記廃棄物の形状に関する形状情報を取得する形状情報取得部と、
前記画像情報に基づいて、前記廃棄物の色に関する色情報を取得する色情報取得部と、
前記画像情報に基づいて、前記廃棄物の表面のざらつき感に関する質感情報を取得する質感情報取得部と、
前記形状情報取得部により取得された形状情報と、前記色情報取得部により取得された色情報と、前記質感情報取得部により取得された質感情報とに基づいて、前記廃棄物の材質を判別する材質判別部と、を備えたことを特徴とする廃棄物の材質判別装置。
【請求項９】
前記材質判別部は、
前記形状情報取得部により取得された形状情報に基づいて前記廃棄物の材質候補を判別して第１の判別結果を得る第１判別部と、
前記色情報取得部により取得された色情報に基づいて前記廃棄物の材質候補を判別して第２の判別結果を得る第２判別部と、
前記質感情報取得部により取得された質感情報に基づいて前記廃棄物の材質候補を判別して第３の判別結果を得る第３判別部と、
前記第１判別部により得られた前記第１の判別結果、前記第２判別部により得られた第２の判別結果および前記第３判別部により得られた第３の判別結果に対して、所定の重み付けを行うことにより、前記廃棄物の材質を特定する材質特定部と、を備えたことを特徴とする請求項８に記載の廃棄物の材質判別装置。
【請求項１０】
前記色情報取得部は、前記色情報を、前記画像情報のうち前記廃棄物の像の色彩を表す色彩情報に基づいて取得するものであり、
前記質感情報取得部は、前記質感情報を、前記画像情報のうち前記廃棄物の像の明度を表す明度情報に基づいて、前記明度差のばらつきを表す明度差ばらつき情報を取得し、前記質感情報を、前記明度差ばらつき情報に基づいて取得するものであることを特徴とする請求項８または９に記載の廃棄物の材質判別装置。
【請求項１１】
前記色情報取得部は、前記色彩情報を、前記画像情報をＣＩＥ表色系Ｌ＊ａ＊ｂ＊で表したときのａ＊値およびｂ＊値により規定するものであり、
前記質感情報取得部は、前記画像情報をＣＩＥ表色系Ｌ＊ａ＊ｂ＊で表したときのＬ＊値により前記明度を規定し、前記明度差ばらつき情報を、前記Ｌ＊値で規定された座標系に対してラプラシアンフィルタ処理を施して、前記ラプラシアンフィルタ処理後の座標系における標準偏差を算出することにより規定するものであることを特徴とする請求項１０に記載の廃棄物の材質判別装置。
【請求項１２】
前記形状情報取得部は、前記形状情報を、前記画像情報に対してエッジ抽出処理を施すことによって得るものであることを特徴とする請求項８から１１のうちいずれか１項に記載の廃棄物の材質判別装置。
【請求項１３】
前記入力された画像情報が表す画像を表示する画像表示部と、
前記画像表示部に表示された前記画像のうち、任意の領域を特定する操作が入力される領域特定入力操作部と、
前記入力された画像情報のうち、前記領域特定入力操作部により特定された領域に対応する画像情報を特定領域画像情報として抽出する特定領域抽出部と、をさらに備え、
前記特定領域抽出部により抽出された前記特定領域画像情報に基づいて、前記形状情報取得部は、前記特定領域画像情報に含まれる廃棄物の形状情報を取得し、前記色情報取得部は、前記特定領域画像情報に含まれる廃棄物の色情報を取得し、前記質感情報取得部は、前記特定領域画像情報に含まれる廃棄物の質感情報を取得し、前記材質判別部は、前記特定領域画像情報に含まれる廃棄物の材質を判別することを特徴とする請求項８から１２のうちいずれか１項に記載の廃棄物の材質判別装置。
【請求項１４】
前記廃棄物を含む画像を撮像して前記廃棄物の像を含む画像情報を、前記形状情報取得部、前記色情報取得部および前記質感情報取得部に入力するカメラをさらに備えたことを特徴とする請求項８から１３のうちいずれか１項に記載の廃棄物の材質判別装置。
【請求項１５】
前記廃棄物が建設系廃棄物であることを特徴とする請求項８から１４のうちいずれか１項に記載の廃棄物の材質判別装置。
【発明の詳細な説明】
【技術分野】
【０００１】
本発明は、廃棄物の材質判別方法およびこの廃棄物の材質判別装置に関し、詳細には、廃棄物を撮影して得られた画像に基づく廃棄物の材質判別の改良に関するものである。
【背景技術】
【０００２】
従来、構造物や建物などの建設物を解体したときに排出された建設系廃棄物は、鋭利な形状のものであったり重量物であるため、通常は、重機やロボットなど（以下、重機等という。）を用いて解体現場から搬出されている。
【０００３】
そして、重機等はこれらの廃棄物を搬出するに際しては、ブーム等の先端に付けられたアタッチメントのフォークなどでこれら廃棄物を掴み、その廃棄物を掴んだ状態で他の場所（搬送車両の荷台や所定の置き場等）まで搬送している。
【０００４】
ところで、これら重機やロボットなどで廃棄物を掴む場合、対象となる廃棄物の材料の種類を予め判別することができれば、その把持作業（把持力の調整等）や後の作業（廃棄物の分別等）を行う上で都合がよい。
【０００５】
ここで、材料の種類を判別する一般的な方法としては、例えば近赤外線やＸ線など（以下、近赤外線等という。）を材料に照射して、その反射光のスペクトルや蛍光Ｘ線のエネルギを検出・分析することで材質を検出する方法や、電子顕微鏡、レーザスキャナ、ＳＴＭ（走査型トンネル顕微鏡；Scanning Tunneling Microscope）、ＡＦＴ（原子間力顕微鏡；Atomic Force Microscope）など（以下、電子顕微鏡等という。）のように材料表面の輪郭形状を分子レベル、原子レベルで観察することで材質を判別する方法、表面粗さ計を用いて材料表面の凹凸状態を計測することで材質を判別する方法などがある。
【０００６】
しかし、近赤外線等を照射して行う方法や表面粗さ計を用いた方法は、検出するセンサが高価であり、しかもセンサ自体を検出対象の材料に近接乃至接触させる必要があるため、材質の判別に要する時間が長くかかり、大量の廃棄物を判別対象とする建設系廃棄物の処理現場には適さない。
【０００７】
また、建設系廃棄物を対象とした場合、屋外での使用となることが多いが、本来実験室など極めて限られた環境下での使用を前提としている電子顕微鏡等は、屋外における周囲の振動や音の影響を受けて、本来の高精度な検出を行うことはできず、また、検出結果の信頼性も低くなる虞がある。
【０００８】
さらに、降雨や散水等あるいは対象物の表面に付着した埃などの影響により、対象物の物性値を適切に検出することができず、正確な検出結果を得ることができない虞もある。
【０００９】
一方、近年は、デジタルカメラの普及に伴い、カメラで撮影して得られた画像に基づいて種々の処理を行う方法やシステムが考案されており、廃棄物の判別処理分野においても、画像に基づいた判別を行う方法やシステムが提案されている（特許文献１，２）。
【００１０】
すなわち、特許文献１には、入力された画像から物体の輪郭形状を抽出し、得られた輪郭形状に基づいて、再生利用可能な樹脂を含む破砕片を判別する装置が開示されている。
【００１１】
また、特許文献２には、入力された画像から物体の色相を検出し、さらに、物体表面における、得られた色相が占める面積割合に基づいて、所定の金属材料の物体を判別する装置が開示されている。
【００１２】
これらの他に、表示装置に複数の物体が混在した画像が表示されているとき、ユーザが、表示装置に備えられたタッチパネルを用いて、判別しようとする対象の物体を予め限定することで、対象物体の認識精度を高める方法も提案されている（特許文献３）。
【特許文献１】特開２００１−２２９３８５号公報
【特許文献２】特開平７−２７５８０２号公報
【特許文献３】特開平１０−１８１８５８号公報
【発明の開示】
【発明が解決しようとする課題】
【００１３】
しかし、建設系廃棄物は、建設物を破砕したときの砕け方や変形によって、多様な形状・大きさを呈しているため、家電製品の細破砕材を対象としている特許文献１に開示の技術をそのまま建設系廃棄物に適用することは困難であり、しかも、建設系廃棄物は、屋外に積み上げられた状態で置かれていることが多いため、廃棄物同士が重なり合っており、撮影された画像に基づいて個々の廃棄物の輪郭形状を検出するのが難しく、工場内のベルトコンベア上に平らに均されて個々の廃棄物の輪郭形状を検出し易い状況で適用される特許文献１の技術では、精度のよい判別結果を得ることはできない。
【００１４】
また、屋外では、日照状況や、散水、降雨などの影響によって、対象物体の色彩は大きく変化し、しかも錆や中性化、付着した汚れなどによっても色彩は変化するため、特許文献２により開示された色相を利用した判別処理で適切な判別結果を得ることはできない。
【００１５】
なお、上述した問題は、主として建設系廃棄物を対象とした場合におけるものであるが、建設系廃棄物以外の産業廃棄物等一般的な廃棄物を対象とした場合であっても、材質の判別を一層精度よく行うことが望まれている。
【００１６】
本発明は上記事情に鑑みなされたものであって、対象物の材質を精度よく判別することができる廃棄物の材質判別方法および廃棄物の材質判別装置を提供することを目的とする。
【課題を解決するための手段】
【００１７】
本発明に係る廃棄物の材質判別方法および材質判別装置は、廃棄物の像を含むを画像情報に基づいて取得される形状情報、色情報および質感情報という３つの情報に基づいて廃棄物の材質を判別することで、従来よりも精度のよい材質判別を行うものである。
【００１８】
すなわち、本発明に係る廃棄物の材質判別方法は、入力された、廃棄物の像を含む画像情報に基づいて、前記廃棄物の形状に関する形状情報、前記廃棄物の色に関する色情報および前記廃棄物の表面のざらつき感に関する質感情報を取得し、取得された前記形状情報、前記色情報および前記質感情報に基づいて、前記廃棄物の材質を判別することを特徴とする。
【００１９】
ここで、上記廃棄物としては、建設系廃棄物すなわち建物やその他の構造物（橋梁等）を解体乃至破砕して排出された廃棄物（現実に廃棄するかリサイクルに活用するかの用途別に拘わらず排出された物体を意味する。）や、これら建設系廃棄物が合法的に若しくは不法に投棄された状態における廃棄物だけでなく、建設系廃棄以外の種々の産業廃棄物や、一般的な廃棄物も適用される。
【００２０】
また、無管理状態で放置され、または管理された状態で置かれた廃棄物だけでなく、リサイクル工場やゴミ工場等のベルトコンベヤ等に載せられて流れる廃棄物なども、上記本発明における廃棄物として適用することができる。
【００２１】
また、廃棄物の像を含む画像情報は、例えばその廃棄物を含んだ場面を撮影したカメラ（ＣＣＤやＣＭＯＳ等の撮像素子を備えたデジタル方式のカメラであってもよいし、アナログ方式のカメラであってもよい。）から入力されてもよいし、そのようなカメラで撮影されたものを一時的に記憶した記憶媒体や各種の信号処理を施す信号処理装置から入力されてもよい。
【００２２】
そして、そのようなカメラ等からの画像情報の入力に際しては、カメラ等から有線により伝送されて入力されてもよいし、無線により送信されて入力されてもよい。
【００２３】
画像情報に基づく形状情報、色情報および質感情報は、画像情報に対して、それぞれ適応する信号処理（画像処理）を施すことにより取得すればよい。
【００２４】
例えば、形状情報を取得する信号処理としては、画像中のエッジを抽出する処理を適用することができ、これによって廃棄物の輪郭が抽出されるため、廃棄物の形状に関する形状情報を得ることができる。
【００２５】
なお、形状情報としては、形状の輪郭を表す情報だけでなく、特定の方向に長い細長形状であるとか、そのような長さの不均一がない形状であるとかの区別を表す情報であってもよい。
【００２６】
また、色情報とは、色彩や色相を表す情報であり、このことから、入力される画像情報は、少なくとも廃棄物の像に関してはカラー画像を表す画像情報であることを前提とする。
【００２７】
質感情報は、どのような材質かを感じさせる情報であり、廃棄物の表面のざらつき感を表す情報である。このざらつき感は、具体的には、物体表面の凹凸の状態により評価されるものである。
【００２８】
このように構成された本発明に係る廃棄物の材質判別方法によれば、入力された画像情報に基づいて取得された、形状情報、色情報および質感情報という３つの外観情報に基づいて、その画像情報が表す画像に含まれた廃棄物の材質を判別するため、従来のように、形状情報にのみ基づいた材質判別や色情報にのみ基づいた材質判別に比べて、判別精度を格段に高めることができる。
【００２９】
しかも、廃棄物の像を含む画像情報は、上述した形状情報にのみ基づいた材質判別や色情報にのみ基づいた材質判別など従来の材質判別処理においても入力されていた情報であるため、この画像情報を入力する工程は、本発明に係る廃棄物の材質判別方法において新たに加えられる工程ではないため、大幅なコストアップを招くこともない。
【００３０】
なお、本発明に係る廃棄物の材質判別方法および後述する本発明に係る廃棄物の材質判別装置において、「廃棄物の材質を判別する」の意味は、「廃棄物の材質名を、予め準備されている複数種類の材質名のうちから１つを選択する」という意味だけでなく、「廃棄物の材質名を、予め準備されている複数種類の材質に該当する確率とともに対応付ける」という意味も含む。
【００３１】
すなわち、そのように材質が判別された結果を、モニタに表示、紙等の媒体に印刷するなど出力する場合、判別結果として一つの材質名のみを出力するものであってもよいし、該当する確率の高い順序で、または材質名の五十音順若しくはアルファベット順などの順序で、該当する確率とともに、複数個の材質名を出力するものであってもよい。
【００３２】
上述した本発明に係る廃棄物の材質判別方法においては、形状情報に基づいて前記廃棄物の材質候補（材質の候補を意味する。以下、同じ。）を判別して第１の判別結果を得、前記色情報に基づいて前記廃棄物の材質候補を判別して第２の判別結果を得、前記質感情報に基づいて前記廃棄物の材質候補を判別して第３の判別結果を得、これら得られた前記第１の判別結果、前記第２の判別結果および第３の判別結果に対して所定の重み付けを行うことにより、前記廃棄物の材質を特定するのが好ましい。
【００３３】
ここで、重み付けを行うことにより材質を特定する、という処理は、第１の判別結果と第２の判別結果と第３の判別結果とのそれぞれの判別結果に対して、重視すべき度合いを加味して最終的にいずれか一つの材質を特定する、という処理であり、具体的には、各判別結果（第１の判別結果、第２の判別結果、第３の判別結果）をベイズ推定（Bayes理論に基づく推定）やデンプスター・シェイファー（Dempster＆Shafer）理論に基づく統合などによって、一つの判別結果を導く処理である。
【００３４】
本発明の、このような好ましい構成に係る廃棄物の材質判別方法によれば、形状情報、色情報および質感情報という３つの外観情報に基づいて一つの材質を特定するに際して、これら３つの外観情報から直接一つの材質を特定するのではなく、形状情報に基づいて第１の判別結果（第１の材質特定結果）を得、色情報に基づいて第２の判別結果（第２の材質特定結果）を得、質感情報に基づいて第３の判別結果（第３の材質特定結果）を得る、という第一段階と、この第一段階で得られた３つの判別結果に対して、解体乃至破砕した建設物等種類などに応じて固定的に予め設定された、または天候や日照などの環境条件ごとに設定された重み付けを行う、という第二段階の判別を行うことで、状況ごとに適切な判別結果を重視した判別結果を得ることができ、材質判別の正答率を一層高めることができる。
【００３５】
上述した本発明に係る廃棄物の材質判別方法においては、色情報は、前記画像情報のうち前記廃棄物の像の色彩を表す色彩情報に基づいて取得し、前記質感情報は、前記画像情報のうち前記廃棄物の像の明度差のばらつきを表す明度差ばらつき情報に基づいて取得するのが好ましい。
【００３６】
ここで、像の色彩を表す色彩情報としては、例えば、ＣＩＥ表色系Ｌ＊ａ＊ｂ＊（エルスター、エースター、ビースター；ＪＩＳ  Ｚ  ８７２９によって規定）におけるａ＊値、ｂ＊値によって表現された情報であってもよいいし、その他公知の、色を数値の組み合わせによって表現する種々の方法（色空間）で表現された情報を適用することができる。
【００３７】
また、明度差のばらつきを表す明度差ばらつき情報としては、例えば、ＣＩＥ表色系Ｌ＊ａ＊ｂ＊におけるＬ＊値のばらつきによって表現された情報であってもよいいし、その他公知の、明度差のばらつきを数値によって表現する種々の方法で表現された情報を適用することができる。
【００３８】
なお、明度差のばらつきとは、領域内における明度の分布状態を表現するものであり、略同一の明度が均一に分布している場合は、廃棄物の表面はざらつき感の少ない平滑な状態であるということができ、略同一の明度が均一に分布していない場合は、廃棄物の表面が凹凸によって陰影が多く生じているため、ざらつき感が多い状態であるということができる。
【００３９】
本発明の、このような好ましい構成に係る廃棄物の材質判別方法によれば、色情報は、画像情報のうち廃棄物の像の色彩を表す色彩情報に基づいて取得することができ、質感情報は、画像情報のうち廃棄物の像の明度差のばらつきを表す明度差ばらつき情報に基づいて取得することができるため、それぞれ簡単な信号処理によって色情報および質感情報を得ることができる。
【００４０】
上述した本発明に係る廃棄物の材質判別方法においては、色彩情報は、前記画像情報をＣＩＥ表色系Ｌ＊ａ＊ｂ＊で表したときのａ＊値およびｂ＊値により規定され、明度は、前記画像情報をＣＩＥ表色系Ｌ＊ａ＊ｂ＊で表したときのＬ＊値により規定され、明度差ばらつき情報は、前記Ｌ＊値で規定された座標系に対してラプラシアンフィルタ処理を施し、前記ラプラシアンフィルタ処理後の座標系における標準偏差を算出することにより規定されるのが好ましい。
【００４１】
本発明の、このような好ましい構成に係る廃棄物の材質判別方法によれば、色彩情報を、画像情報をＣＩＥ表色系Ｌ＊ａ＊ｂ＊で表したときのａ＊値およびｂ＊値により規定し、明度を、ＣＩＥ表色系Ｌ＊ａ＊ｂ＊で表したときのＬ＊値により規定し、明度差ばらつき情報を、Ｌ＊値で規定された座標系に対してラプラシアンフィルタ処理を施し、ラプラシアンフィルタ処理後の座標系における標準偏差を算出することにより規定することで、色彩情報および明度差ばらつき情報という２つの情報を、共通のＣＩＥ表色系Ｌ＊ａ＊に基づいて得ることができるため、演算処理を省力化することができる。
【００４２】
上述した本発明に係る廃棄物の材質判別方法においては、前記形状情報は、前記画像情報に対してエッジ抽出処理を施して輪郭形状を検出することにより得るのが好ましい。
【００４３】
本発明の、このような好ましい構成に係る廃棄物の材質判別方法によれば、画像情報に対してエッジ抽出処理という簡単な信号処理によって輪郭形状という形状情報を得ることができる。
【００４４】
そして、この得られた形状情報を、各材質ごとに予め対応付けられた基準となる形状（基準形状）と比較して、近い基準形状のものを選択することで、その基準形状に近い廃棄物の材質を特定（第１の判別結果）することができる。
【００４５】
上述した本発明に係る廃棄物の材質判別方法においては、前記入力された画像情報が表す画像のうち、前記材質を判別しようとする対象の前記廃棄物の像を含む領域を予め特定し、特定された領域に対応する画像情報を特定領域画像情報として抽出し、前記抽出された前記特定領域画像情報に基づいて、前記形状情報、前記色情報および前記質感情報を取得して、前記廃棄物の材質を判別するのが好ましい。
【００４６】
本発明の、このような好ましい構成に係る廃棄物の材質判別方法によれば、画像情報が表す可視画像のうち、材質判別の対象となる廃棄物を予め特定して抽出しておくことにより、画像全体のうちから対象の廃棄物を抽出する処理の段階で誤った抽出を行うことが防止され、誤抽出された情報に基づく誤った材質判別結果が導出されるのを防止して、材質判別の精度を一層向上させることができる。
【００４７】
なお、画像情報が表す画像のうち、材質を判別しようとする対象の廃棄物の像を予め特定する方法としては、例えば、その画像（可視画像）が表示される画面にタッチパネルなどの領域特定入力操作部を設け、この入力操作部により、画面上における対象の廃棄物の表示領域を特定する操作を入力する方法を適用してもよいし、または、マウス等の入力操作部を用いて、マウスの動きに連動した画面上でのカーソル等で特定するようにしてもよい。
【００４８】
また、タッチパネルとタッチペンとからなる入力操作部を用いて、廃棄物の表示領域を特定するようにしてもよい。
【００４９】
上述した本発明に係る廃棄物の材質判別方法においては、前記廃棄物が建設系廃棄物であることが好ましい。
【００５０】
本発明の、このような好ましい構成に係る廃棄物の材質判別方法によれば、材質判別の対象となる廃棄物が建設系廃棄物に限定されるため、判別すべき材質の種類を絞ることができ、材質の判別精度を一層高めることができる。
【００５１】
建設系廃棄物は、例えば、アルミ、コンクリート、プラスチック、鉄、木材などが主要な材質であるため、材質判別の処理においては、これらの材質のいずれかであると判別すればよく、これら以外の材質の物体をも多種多様に含む一般的な廃棄物を対象とする構成よりも、材質の判別精度を高めることができる。
【００５２】
しかも、建設系廃棄物は、物体の材質が表面のざらつき感として特徴付けられるものが多いため、このざらつき感に関する質感情報を材質判別の要素とした本発明に係る廃棄物の材質判別方法による材質判別の精度を一層効果的に得ることができる。
【００５３】
また、建設系廃棄物は、屋外に積み上げられた状態で置かれていることが多いため、廃棄物同士が重なり合っており、撮影された画像に基づいて個々の廃棄物の形状を精度よく検出するのが難しく、さらに、屋外では、日照状況や、散水、降雨などの影響によって、対象物体の色彩も大きく変化し、錆や中性化、付着した汚れなどによっても色彩は変化するため色情報だけで精度のよい材質判別を行うのも難しいが、本発明の材質判別方法は、形状情報や色情報の他に質感情報も加味した３種類の外観情報で材質を判別するため、材質判別の対象として建設系廃棄物を適用した場合に、より効果的に精度のよい判別結果を得ることができる。
【００５４】
なお、建設系廃棄物は、一般には、建設物を解体乃至破砕して得られた廃棄物を意味するが、これらが合法的にまたは不法に投棄等された廃棄物であっても、建設系廃棄物に該当する。
【００５５】
本発明に係る廃棄物の材質判別装置は、入力された、廃棄物の像を含む画像情報に基づいて、前記廃棄物の形状に関する形状情報を取得する形状情報取得部と、前記画像情報に基づいて、前記廃棄物の色に関する色情報を取得する色情報取得部と、前記画像情報に基づいて、前記廃棄物の表面のざらつき感に関する質感情報を取得する質感情報取得部と、前記形状情報取得部により取得された形状情報と、前記色情報取得部により取得された色情報と、前記質感情報取得部により取得された質感情報とに基づいて、前記廃棄物の材質を判別する材質判別部と、を備えたことを特徴とする。
【００５６】
このように構成された本発明に係る廃棄物の材質判別装置によれば、形状情報取得部に入力された画像情報に基づいて取得された形状情報、色情報取得部に入力された画像情報に基づいて取得された色情報および質感情報取得部に入力された画像情報に基づいて取得された質感情報という３つの外観情報に基づいて、材質判別部が、その画像情報が表す画像に含まれた廃棄物の材質を判別するため、従来のように、形状情報にのみ基づいた材質判別や色情報にのみ基づいた材質判別に比べて、判別精度を格段に高めることができる。
【００５７】
上述した本発明に係る廃棄物の材質判別装置においては、前記材質判別部は、前記形状情報取得部により取得された形状情報に基づいて前記廃棄物の材質候補（材質の候補を意味する。以下、同じ。）を判別して第１の判別結果を得る第１判別部と、前記色情報取得部により取得された色情報に基づいて前記廃棄物の材質候補を判別して第２の判別結果を得る第２判別部と、前記質感情報取得部により取得された質感情報に基づいて前記廃棄物の材質候補を判別して第３の判別結果を得る第３判別部と、前記第１判別部により得られた前記第１の判別結果、前記第２判別部により得られた第２の判別結果および前記第３判別部により得られた第３の判別結果に対して、所定の重み付けを行うことにより、前記廃棄物の材質を特定する材質特定部と、を備えたものであることが好ましい。
【００５８】
本発明の、このような好ましい構成に係る廃棄物の材質判別装置によれば、材質判別部が、形状情報、色情報および質感情報という３つの外観情報に基づいて一つの材質を特定するに際して、これら３つの外観情報から直接一つの材質を特定するのではなく、材質判別部の第１判別部が形状情報に基づいて第１の判別結果（第１の材質候補）を得、材質判別部の第２判別部が色情報に基づいて第２の判別結果（第２の材質候補）を得、材質判別部の第３判別部が質感情報に基づいて第３の判別結果（第３の材質候補）を得、このようにして得られた３つの判別結果（第１の判別結果、第２の判別結果、第３の判別結果）に対して、材質特定部が所定の重み付けを行うことにより、廃棄物の材質を特定するため、状況ごとに適切な判別結果を重視した判別結果を得ることができ、材質判別の正答率を一層高めることができる。
【００５９】
上述した本発明に係る廃棄物の材質判別装置においては、前記色情報取得部は、前記色情報を、前記画像情報のうち前記廃棄物の像の色彩を表す色彩情報に基づいて取得するものであり、前記質感情報取得部は、前記質感情報を、前記画像情報のうち前記廃棄物の像の明度を表す明度情報に基づいて、前記明度差のばらつきを表す明度差ばらつき情報を取得し、前記質感情報を、前記明度差ばらつき情報に基づいて取得するものであることが好ましい。
【００６０】
本発明の、このような好ましい構成に係る廃棄物の材質判別装置によれば、色情報は、色情報取得部によって、画像情報のうち廃棄物の像の色彩を表す色彩情報に基づいて取得することができ、質感情報は、質感情報取得部によって、画像情報のうち廃棄物の像の明度差のばらつきを表す明度差ばらつき情報に基づいて取得することができるため、色情報取得部および質感情報取得部はそれぞれ簡単な信号処理によって色情報および質感情報を得ることができる。
【００６１】
上述した本発明に係る廃棄物の材質判別装置においては、前記色情報取得部は、前記色彩情報を、前記画像情報をＣＩＥ表色系Ｌ＊ａ＊ｂ＊で表したときのａ＊値およびｂ＊値により規定するものであり、前記質感情報取得部は、前記画像情報をＣＩＥ表色系Ｌ＊ａ＊ｂ＊で表したときのＬ＊値により前記明度を規定し、前記明度差ばらつき情報を、前記Ｌ＊値で規定された座標系に対してラプラシアンフィルタ処理を施して、前記ラプラシアンフィルタ処理後の座標系における標準偏差を算出することにより規定するものであることが好ましい。
【００６２】
本発明の、このような好ましい構成に係る廃棄物の材質判別装置によれば、色情報取得部は、色彩情報を、画像情報をＣＩＥ表色系Ｌ＊ａ＊ｂ＊で表したときのａ＊値およびｂ＊値により規定し、質感情報取得部は、明度を、ＣＩＥ表色系Ｌ＊ａ＊ｂ＊で表したときのＬ＊値により規定し、明度差ばらつき情報を、Ｌ＊値で規定された座標系に対してラプラシアンフィルタ処理を施し、ラプラシアンフィルタ処理後の座標系における標準偏差を算出することにより規定するため、色彩情報および明度差ばらつき情報という２つの情報を、共通のＣＩＥ表色系Ｌ＊ａ＊ｂ＊に基づいて得ることができ、演算処理を省力化することができる。
【００６３】
上述した本発明に係る廃棄物の材質判別装置においては、前記形状情報取得部は、前記形状情報を、前記画像情報に対してエッジ抽出処理を施すことによって得るものであることが好ましい。
【００６４】
本発明の、このような好ましい構成に係る廃棄物の材質判別装置によれば、形状情報取得部が、画像情報に対してエッジ抽出処理という簡単な信号処理によって輪郭形状という形状情報を得ることができる。
【００６５】
そして、材質判別部が、この得られた形状情報を、各材質ごとに予め対応付けられた基準となる形状（基準形状）と比較して、近い基準形状のものを選択することで、その基準形状に近い廃棄物の材質を特定（第１の判別結果）することができる。
【００６６】
上述した本発明に係る廃棄物の材質判別装置においては、前記入力された画像情報が表す画像を表示する画像表示部と、前記画像表示部に表示された前記画像のうち、任意の領域を特定する操作が入力される領域特定入力操作部と、前記入力された画像情報のうち、前記領域特定入力操作部により特定された領域に対応する画像情報を特定領域画像情報として抽出する特定領域抽出部と、をさらに備え、前記特定領域抽出部により抽出された前記特定領域画像情報に基づいて、前記形状情報取得部は、前記特定領域画像情報に含まれる廃棄物の形状情報を取得し、前記色情報取得部は、前記特定領域画像情報に含まれる廃棄物の色情報を取得し、前記質感情報取得部は、前記特定領域画像情報に含まれる廃棄物の質感情報を取得し、前記材質判別部は、前記特定領域画像情報に含まれる廃棄物の材質を判別することが好ましい。
【００６７】
本発明の、このような好ましい構成に係る廃棄物の材質判別装置によれば、画像情報が表す可視画像のうち材質判別の対象となる廃棄物を、領域特定入力操作部によって予め特定し、特定領域抽出部が、画像情報全体のうちから、この特定された領域に対応する画像情報（特定領域画像情報）を抽出しておくことにより、対象の廃棄物を抽出する処理の段階で誤抽出することを防止することができ、誤抽出された情報に基づく誤った材質判別結果が導出されるのを防止して、材質判別の精度を一層向上させることができる。
【００６８】
なお、画像情報が表す画像のうち、領域特定入力操作部としては、例えば、その画像（可視画像）が表示される画像表示部の画面に重ねて設けられたタッチパネルなどを適用することができる。そして、このタッチパネルに対して、使用者が、画面上における対象の廃棄物の表示領域を特定する操作を入力するものであってもよいし、または、マウス等の領域特定入力操作手段を用いて、マウスの動きに連動した画面上でのカーソル等で特定するものであってもよい。
【００６９】
また、タッチパネルとタッチペンとからなる領域特定入力操作部を適用することもでき、この領域特定入力操作部によって、廃棄物の表示領域を特定するようにしてもよい。
【００７０】
上述した本発明に係る廃棄物の材質判別装置においては、前記廃棄物を含む画像を撮像して前記廃棄物の像を含む画像情報を、前記形状情報取得部、前記色情報取得部および前記質感情報取得部に入力するカメラをさらに備えたものであることが好ましい。
【００７１】
本発明の、このような好ましい構成に係る廃棄物の材質判別装置によれば、カメラが、廃棄物を含む画像を撮像して、この廃棄物の像を含む画像情報を、形状情報取得部、色情報取得部および質感情報取得部に入力することができる。
【００７２】
なお、カメラとしては、ＣＣＤやＣＭＯＳ等の撮像素子を備えたデジタル方式のカメラであってもよいし、アナログ方式のカメラであってもよい。
【００７３】
上述した本発明に係る廃棄物の材質判別装置においては、前記廃棄物が建設系廃棄物であることが好ましい。
【００７４】
本発明の、このような好ましい構成に係る廃棄物の材質判別装置によれば、材質判別の対象となる廃棄物が建設系廃棄物に限定されるため、判別すべき材質の種類を絞ることができ、材質の判別精度を一層高めることができる。
【００７５】
また、建設系廃棄物は、屋外に積み上げられた状態で置かれていることが多いため、廃棄物同士が重なり合っており、撮影された画像に基づいて個々の廃棄物の形状を精度よく検出するのが難しく、さらに、屋外では、日照状況や、散水、降雨などの影響によって、対象物体の色彩も大きく変化し、錆や中性化、付着した汚れなどによっても色彩は変化するため色情報だけで精度のよい材質判別を行うのも難しいが、本発明の材質判別装置は、形状情報や色情報の他に質感情報も加味した３種類の外観情報で材質を判別するため、材質判別の対象として建設系廃棄物を適用した場合に、より効果的に精度のよい判別結果を得ることができる。
【００７６】
なお、建設系廃棄物は、一般には、建設物を解体乃至破砕して得られた廃棄物を意味するが、これらが合法的にまたは不法に投棄等された廃棄物であっても、建設系廃棄物に該当する。
【発明の効果】
【００７７】
本発明に係る廃棄物の材質判別方法および廃棄物の材質判別装置によれば、従来のように、形状情報にのみ基づいた材質判別や色情報にのみ基づいた材質判別に比べて、判別精度を格段に高めることができ、対象物（廃棄物）の材質を精度よく判別することができる。
【発明を実施するための最良の形態】
【００７８】
以下、本発明に係る廃棄物の材質判別方法および材質判別装置の最良の実施の形態について図面を参照して説明する。
（実施形態１）
図１は、本発明の一実施形態に係る廃棄物の材質判別装置１００の基本的な構成を示すブロック図、図２は、図１に示した材質判別装置１００によって材質判別の対象となる廃棄物の一例である建設系廃棄物２００（以下、単に廃棄物２００と略す。）を示す模式図であり、（ａ）はコンクリート片、（ｂ）はアルミ棒材片、（ｃ）はプラスチック管材片、（ｄ）は鉄筋材片、（ｄ）は木材片をそれぞれ示す。また、図３は、図１に示した材質判別装置１００の作用を説明するフローチャートである。
【００７９】
図示の材質判別装置１００は、材質判別装置１００の構成ではない外部のカメラ１１０によって、これらいずれか一つの廃棄物２００を含む画像Ｐが撮影され、カメラ１１０によって撮影された画像Ｐはこの画像Ｐを表す信号（データ）としての画像情報Ｓに変換されてカメラ１１０から出力され、出力された画像情報Ｓは材質判別装置１００に入力される。
【００８０】
そして、材質判別装置１００は、入力された画像情報Ｓに基づいて、形状情報、色情報および質感情報という３つの外観情報を求め、得られたこれら３つの外観情報に基づいて、画像情報Ｓが表す画像Ｐに含まれた廃棄物２００の材質を判別するものである。
【００８１】
ここで、カメラ１１０は、本実施形態における説明においては材質判別装置１００の構成要素ではないものとして扱っているが、本実施形態の材質判別装置１００の構成要素として取り扱うものであってもよい。
【００８２】
材質判別装置１００は、わずかに異なる位置に設けられて視差を異にする２つのカメラ１１０のうち少なくとも一方のカメラ１１０から入力された、廃棄物２００の像を含む画像情報Ｓに基づいて廃棄物２００の形状に関する形状情報Ｍ１を取得する形状情報取得部１０と、画像情報Ｓに基づいて廃棄物２００の色に関する色情報Ｍ２を取得する色情報取得部２０と、画像情報Ｓに基づいて廃棄物２００の表面のざらつき感に関する質感情報Ｍ３を取得する質感情報取得部３０と、形状情報取得部１０により取得された形状情報Ｍ１と色情報取得部２０により取得された色情報Ｍ２と質感情報取得部３０により取得された質感情報Ｍ３とに基づいて廃棄物２００の材質を判別する材質判別部４０と、を備えた構成である。
【００８３】
なお、図１において、符号１９０は、カメラ１１０から入力された画像情報Ｓに基づいて、その撮影された廃棄物２００の存在位置を検出する位置検出装置であり、符号１８０は、位置検出装置１９０によって検出された位置に関する情報Ｌおよび材質判別部４０によって判別された材質に関する情報Ｋが入力され、これら入力された位置に関する情報Ｌおよび材質に関する情報Ｋに基づいて、撮影された廃棄物２００に対して何らかの操作を行う操作処理装置である。
【００８４】
これらカメラ１１０、位置検出装置１９０および操作処理装置１８０は、本実施形態の材質判別装置１００とともに、廃棄物２００に対する操作処理システムの一例として、例えば廃棄物２００を把持して、その材質の種類別に分別処理する重機などとして構成するようにしてもよい。
【００８５】
なお、カメラ１１０から材質判別装置１００への画像情報Ｓの入力に際しては、カメラ１１０から有線により伝送されて入力されてもよいし、無線により送信されて入力されてもよい。
【００８６】
材質判別装置１００の材質判別部４０は、詳しくは、形状情報取得部１０により取得された形状情報Ｍ１に基づいて廃棄物２００の材質候補を判別して第１の判別結果Ｋ１を得る第１判別部５０と、色情報取得部２０により取得された色情報Ｍ２に基づいて廃棄物２００の材質候補を判別して第２の判別結果Ｋ２を得る第２判別部６０と、質感情報取得部３０により取得された質感情報Ｍ３に基づいて廃棄物２００の材質候補を判別して第３の判別結果Ｋ３を得る第３判別部７０と、第１判別部５０により得られた第１の判別結果Ｋ１、第２判別部６０により得られた第２の判別結果Ｋ２および第３判別部７０により得られた第３の判別結果Ｋ３に対して、所定の重み付けを行うことにより、廃棄物２００の材質を一つに特定し、その特定された単一の材質Ｋに関する情報を出力する材質特定部８０と、を備えた構成である。
【００８７】
なお、材質特定部８０は詳しくは、例えば、第１の判別結果Ｋ１、第２の判別結果Ｋ２および第３の判別結果Ｋ３に対して所定の重み付けを行うことにより、複数種類の材質についてそれぞれ、材質判別の対象となっている廃棄物２００の材質として該当する可能性を表す確率を対応付け、この確率が最も高い材質を一つ、廃棄物２００の材質として特定する。
【００８８】
ただし、二つ以上の材質についての確率が近似していて、そのうちの一つが最も高い確率を示す場合、それら互いに確率が近似しているいくつかの材質については、いずれの材質が正しい材質であるかの判定を、単純に確率の大小だけで決めると、誤った材質が特定される虞も高くなるため、このような場合は、それら確率値が近似した複数種類の材質を一つに特定せずに、その複数の材質名を確率値とともに提示したり、あるいは「近似した複数の材質候補が存在する。」とか、「重み付けの条件等を変更したうえで、再度判別処理を行って下さい。」等のコメントを提示するものとしてもよい。
【００８９】
また、上述した廃棄物２００の材質判別装置１００においては、形状情報取得部１０は、画像情報Ｓに対してエッジ抽出処理を施すことによって形状情報Ｍ１を得るものであり、色情報取得部２０は、画像情報Ｓのうち廃棄物２００の像の色彩を表す色彩情報に基づいて色情報Ｍ２を取得するものであり、質感情報取得部３０は、画像情報Ｓのうち廃棄物２００の像の明度を表す明度情報に基づいて、明度差のばらつきを表す明度差ばらつき情報を取得し、この明度差ばらつき情報に基づいて質感情報を取得するものである。
【００９０】
ここで、形状情報取得部１０による形状情報Ｍ１の取得処理は、画像情報Ｓに対してエッジ抽出処理を施して輪郭形状を得る処理の他に、例えば、明度などについて適切に設定された閾値を用いた二値化処理や、予め記憶・登録された基準形状と比較する「パターン
マッチング」の処理、予め記憶・登録された波形や数値などのデータと比較する「ラベリング」の処理、ノイズ成分を消して必要な形状情報を浮かび上がらせる「平滑化」の処理など、様々な処理を必要に応じて複数合わせて、形状情報Ｍ１を得るようにしてもよい。
【００９１】
さらに具体的には、色情報取得部２０は、画像情報ＳをＣＩＥ表色系Ｌ＊ａ＊ｂ＊（ＪＩＳ  Ｚ  ８７２９）で表したときのａ＊値およびｂ＊値によって上記色彩情報を規定するものであり、質感情報取得部３０は、画像情報ＳをＣＩＥ表色系Ｌ＊ａ＊ｂ＊で表したときのＬ＊値により明度を規定し、Ｌ＊値で規定された座標系（画像情報Ｓを構成する多数の画素をそれぞれ対応するＬ＊値で表したもの）に対してラプラシアンフィルタ処理を施して、このラプラシアンフィルタ処理後の座標系における標準偏差を算出することにより、明度差ばらつき情報（明度差ばらつきの標準偏差）を規定する。
【００９２】
次に、本実施形態に係る廃棄物２００の材質判別装置１００の作用（本発明に係る廃棄物の材質判別方法の実施形態）について、図３のフローチャートを参照して説明する。
【００９３】
まず、図２（ａ）〜（ｅ）のうちいずれかの廃棄物２００を含んだ画像Ｐがカメラ１１０によって撮影され、カメラ１１０は、撮影した画像Ｐを信号である画像情報Ｓに変換した後に、その画像情報Ｓを材質判別装置１００と位置検出装置１９０に出力する。
【００９４】
ここで、位置検出装置１９０が、画像情報Ｓに基づいて、撮影された廃棄物２００の存在位置を検出する手法としては、例えばわずかに異なる位置に設けられた２つのカメラ１１０によって同一の対象物（廃棄物２００）を撮影することで、視差を異にした、わずかに異なる２つの画像情報Ｓ１，Ｓ２を得、両カメラ１１０，１１０の設置位置間隔（既知）と両画像情報Ｓ１，Ｓ２の対応関係とに基づいた三角測量の原理により、カメラ１１０，１１０からの距離すなわち廃棄物２００の存在位置を検出する手法などを適用することができる。
【００９５】
なお、この位置検出装置１９０は、材質を判別しようとする対象の廃棄物２００に対する操作処理装置１８０による操作を、その廃棄物２００の存在位置に応じたものとする応用例（廃棄物に対する操作処理システム）として説明する場合に必要なものであるに過ぎず、本実施形態の材質判別装置１００の構成として必須のものでないことはいうまでもない。
【００９６】
カメラ１１０から材質判別装置１００に入力された画像情報Ｓ（図３においてステップ１０（＃１０））は、形状情報取得部１０、色情報取得部２０および質感情報取得部３０にそれぞれ入力される。
【００９７】
画像情報Ｓが入力された形状情報取得部１０は、画像情報Ｓに対してエッジ抽出処理を施し（＃２１）、このエッジ抽出処理（＃２１）後に、画像情報Ｓに含まれた廃棄物２００の像の輪郭形状を認識し（＃２２）、その認識された輪郭形状（特定の方向に長い細長形状であるとか、そのような長さの不均一がないブロック状の形状であるとかの区別を表す性状であり、通常は、アルミ棒材片やプラスチック管材片、鉄筋材片などは細長い形状であり、コンクリート片や木材片はブロック状の形状を呈する。）を形状情報Ｍ１として材質判別部４０に出力する（これら形状情報Ｍ１の取得・出力の一連の処理をステップ２０（＃２０）として表記する。）。
【００９８】
また、画像情報Ｓが入力された色情報取得部２０は、画像情報Ｓに基づいて画像情報Ｓを構成する各画素ごとのＲＧＢデータを取得し（＃３１）、得られた各画素のＲＧＢデータをＣＩＥ表色系Ｌ＊ａ＊ｂ＊にそれぞれ変換し（＃３２）、このＣＩＥ表色系Ｌ＊ａ＊ｂ＊のうち色差（色彩情報）ａ＊値とｂ＊値とを取得し（＃３３）、得られた各画素ごとのａ＊値とｂ＊値とを色情報Ｍ２として材質判別部４０に出力する（これら色情報Ｍ２の取得・出力の一連の処理をステップ３０（＃３０）として表記する。）。
【００９９】
さらにまた、画像情報Ｓが入力された質感情報取得部３０は、画像情報Ｓに基づいて画像情報Ｓを構成する各画素ごとのＲＧＢデータを取得し（＃４１）、得られたＲＧＢデータをＣＩＥ表色系Ｌ＊ａ＊ｂ＊に変換し（＃４２）、このＣＩＥ表色系Ｌ＊ａ＊ｂ＊のうち明度Ｌ＊値を取得し（＃４３）、各画素について周囲８画素のＬ＊値を用いたラプラシアンフィルタ処理を施し（Ｌ＊値で表現された座標系に対してラプラシアンフィルタ処理を施し）、このラプラシアンフィルタ処理後の座標系における標準偏差値σを算出し（＃４４）、この得られた明度差のばらつきの標準偏差値σを質感情報Ｍ３として材質判別部４０に出力する（これら質感情報Ｍ３の取得・出力の一連の処理をステップ４０（＃４０）として表記する。）。
【０１００】
ここで、ステップ４３（＃４３）において各画素がＬ＊値で表現された座標系にラプラシアンフィルタ処理を施し、さらに、ステップ４４（＃４４）においてこのラプラシアンフィルタ処理後の座標系における標準偏差値σを算出する処理について詳細に説明する。
【０１０１】
図４は、図２に示した複数種類の材質の廃棄物２００が一つの画像Ｐに含まれている状態を示す模式図であり、図１に示した実施形態の材質判別装置１００に用いられる画像（一つの廃棄物２００のみが含まれた画像）ではなく、後述する他の実施形態の材質判別装置に用いられる画像であるが、上述したＬ＊値で表現された座標系にラプラシアンフィルタ処理を施す処理および標準偏差値σを求める処理については、本実施形態も後述する実施形態も同じであるため、この図４を用いて説明する。
【０１０２】
図４（ａ）に表された画像Ｐのうち、プラスチック管材片Ｃの一部Ｐ′を抽出して拡大した同図（ｂ）は、本実施形態の材質判別装置１００に用いられる画像Ｐと等価、すなわち単一の廃棄物２００を含む画像と見なすことができる。
【０１０３】
そこで、この画像の一部Ｐ′について、各画素ごとのＲＧＢデータを取得し（＃４１）、得られたＲＧＢデータをＣＩＥ表色系Ｌ＊ａ＊ｂ＊に変換し（＃４２）、このＣＩＥ表色系Ｌ＊ａ＊ｂ＊のうち明度Ｌ＊値を取得し（＃４３）、各画素ｒ（ｉ，ｊ）がＬ＊値で表現された座標系を図５（ａ）に示す。
【０１０４】
図４（ｂ）に示したように、プラスチック管材片Ｃは、その表面が比較的滑らかであるため、Ｌ＊値の分布は、図５（ａ）に示すように滑らかな分布を示す。
【０１０５】
そして、特定の注目画素ｒ（ｉ，ｊ）のＬ＊値（Ｌ＊（ｒ（ｉ，ｊ）））について、周囲８画素（ｒ（ｉ−１，ｊ−１），ｒ（ｉ，ｊ−１），ｒ（ｉ＋１，ｊ−１），ｒ（ｉ−１，ｊ），ｒ（ｉ＋１，ｊ），ｒ（ｉ−１，ｊ＋１），ｒ（ｉ，ｊ＋１），ｒ（ｉ＋１，ｊ＋１））の各Ｌ＊値を用いたラプラシアンフィルタ処理を行うと、処理後の各注目画素ｒ（ｉ，ｊ）のＬ＊′値（Ｌ＊′（ｒ（ｉ，ｊ）））は、
Ｌ＊′（ｒ（ｉ，ｊ））
＝Ｌ＊（ｒ（ｉ−１，ｊ−１））＋Ｌ＊（ｒ（ｉ，ｊ−１））
＋Ｌ＊（ｒ（ｉ＋１，ｊ−１））＋Ｌ＊（ｒ（ｉ−１，ｊ））
＋Ｌ＊（ｒ（ｉ＋１，ｊ））＋Ｌ＊（ｒ（ｉ−１，ｊ＋１））
＋Ｌ＊（ｒ（ｉ，ｊ＋１））＋Ｌ＊（ｒ（ｉ＋１，ｊ＋１））
−８×Ｌ＊（ｒ（ｉ，ｊ））
となる。
【０１０６】
そして、注目画素を順次ずらして全ての画素についてラプラシアンフィルタ処理を行った後のＬ＊′値の分布は、図５（ｂ）に示すものとなり、この図５（ｂ）から解されるように、プラスチック管材片Ｃのような表面が滑らかな質感を呈する材質（アルミ材、プラスチック材、錆付いていない鉄など）の廃棄物２００では、図５（ａ）に示す分布よりもさらに滑らかな分布となる。
【０１０７】
このラプラシアンフィルタ処理後の明度Ｌ＊′値の分布の状態の標準偏差値σを算出する（＃４４）ことにより、画像Ｐ′における明度のばらつきを定量的に規定することができ、その表面が滑らかな質感を呈する材質の廃棄物２００では、この標準偏差値σは比較的小さい値となる。
【０１０８】
一方、プラスチック管材片ではない他の材質の一種であるコンクリート片の場合は、例えば図６（ａ）に表された画像Ｐのうちコンクリート片Ｂの一部Ｐ′を抽出して拡大した同図（ｂ）から解されるように、その表面に凹凸があるため、ざらついた質感を呈しており、Ｌ＊値の分布は、図７（ａ）に示した分布となる。
【０１０９】
そして、図５（ｂ）と同様のラプラシアンフィルタ処理を行った後のＬ＊′値の分布は、図７（ｂ）に示すものとなり、この図７（ｂ）に示した明度Ｌ＊′値の分布の状態の標準偏差値σ（＃４４）は、その表面が滑らかな質感を呈する材質（アルミ材、プラスチック材、錆付いていない鉄など）の廃棄物２００の標準偏差値σよりも大きな値となる。
【０１１０】
すなわち、その表面がざらついた質感を呈する材質（コンクリート材、木材、錆付いた鉄材など）の廃棄物２００では、この標準偏差値σは、その表面が滑らかな質感を呈する材質の廃棄物２００の標準偏差値σよりも大きい値となる。
【０１１１】
なお、色情報取得部２０によるステップ３１（＃３１）の処理は、質感情報取得部３０によるステップ４１（＃４１）の処理と同じであり、色情報取得部２０によるステップ３２（＃３２）の処理は、質感情報取得部３０によるステップ４２（＃４２）の処理と同じであるため、これら共通する処理を重複して行う無駄を低減するのが好ましい。
【０１１２】
そこで、図１における色情報取得部２０と質感情報取得部３０とを統合して、質感情報取得部３０によるステップ４１（＃４１）およびステップ４２（＃４２）を省略するとともに、色情報取得部２０によるステップ３１（＃３１）およびステップ３２（＃３２）をステップ４１（＃４１）およびステップ４２（＃４２）の代替え処理として利用すればよい。
【０１１３】
次に、形状情報取得部１０によって得られた廃棄物２００の形状情報Ｍ１は、材質判別部４０の第１判別部５０に入力されるが、この第１判別部５０には、図示を略した記憶部を備えており、この記憶部には廃棄物２００の材質ごとに対応した、基準となるモデル形状（細長い形状であるとか、ブロック状の形状など。以下、基準形状という。）が予め記憶されており、各材質とそれに対応する基準形状とが対応付けられている。
【０１１４】
すなわち例えば、コンクリートや木材はブロック状の基準形状として対応付けられており、アルミ材、プラスチック材、鉄筋材などは細長い基準形状として対応付けられている。
【０１１５】
そして、第１判別部５０は、入力された形状情報Ｍ１が表す輪郭形状を、記憶部に記憶されている基準形状と比較して、最も近い基準形状を選択し（図８においてステップ５１ａ（＃５１ａ））、この選択された基準形状に対応付けられた材質を候補Ｋ１として、材質特定部８０に出力する（ステップ５１ｂ（＃５１ｂ））。
【０１１６】
なお、これら形状の比較処理（＃５１ａ）および材質候補Ｋ１の出力処理（＃５１ｂ）の一連の処理を、図３においてステップ５１（＃５１）と表記している。
【０１１７】
また、色情報取得部２０によって得られた廃棄物２００の各画素ごとの色情報Ｍ２（ａ＊値とｂ＊値との組合せ）は、材質判別部４０の第２判別部６０に入力されるが、この第２判別部６０には、図示を略した記憶部を備えており、この記憶部には、図９に示すａ＊値を横軸とｂ＊値を縦軸とした直交座標系（以下、ａ＊ｂ＊座標系という。）における、廃棄物２００の材質ごとに対応した基準位置が予め記憶されている。
【０１１８】
なお、図９に示した材質ごとのａ＊ｂ＊座標系における基準位置（ａ＊値とｂ＊値との組合せ）は、代表的な建設系廃棄物の材質ごとに予め実験的に求められた位置であり、錆付いた鉄や木材では、材質の色が赤色や橙色であるためａ＊値、ｂ＊値ともにプラス側に相対的に大きい値を示し、乾燥しているコンクリート材では、材質の色が黄色や灰色であるためｂ＊値は相対的に大きい値を示す一方、ａ＊値は相対的に小さい値を示している。
【０１１９】
また、水分が付着して変色しているコンクリート材（散水時）やアルミ材、プラスチック材では、材質の色が主に灰色であるためａ＊値、ｂ＊値ともに相対的に小さい値を示し、錆付いていない鉄や、コンクリート粉の埃が付着したアルミ材（埃あり）では、材質の色が、プラスチック材などよりもさらに灰色で青色に近い値を示し、ｂ＊値がさらに小さい。
【０１２０】
そして、第２判別部６０は、入力された各画素ごとの色情報（ａ＊値，ｂ＊値）で特定される座標位置Ｍ２と、記憶部に記憶されている各材質の基準位置との距離Ｇ（木材までの距離Ｇ１、錆付いた鉄までの距離Ｇ２、コンクリート材（乾燥状態）までの距離Ｇ３、コンクリート材（散水時）までの距離Ｇ４、アルミ材までの距離Ｇ５、プラスチック材までの距離Ｇ６、錆付いていない鉄までの距離Ｇ７、アルミ材（埃あり）までの距離Ｇ８）をそれぞれ計測（算出）し（図１０においてステップ５２ａ（＃５２ａ））、全ての画素について、各材質までの距離の総和ΣＧ１，ΣＧ２，ΣＧ３，ΣＧ４，ΣＧ５，ΣＧ６，ΣＧ７，ΣＧ８を求める。
【０１２１】
ここで、これら材質ごとの距離の総和ΣＧ１，ΣＧ２，ΣＧ３，ΣＧ４，ΣＧ５，ΣＧ６，ΣＧ７，ΣＧ８が最も短い基準位置の材質が、色情報Ｍ２の観点から最も近い材質の候補Ｋ２ということになるため、各距離の総和ΣＧｉに基づいて、各材質に該当する確率を、予め設定されている演算式等にしたがってそれぞれ算出し、得られた確率が最も高い材質、すなわち最も距離の総和ΣＧｉが短い基準位置の材質を、候補Ｋ２として選択して材質特定部８０に出力する（ステップ５２ｂ（＃５２ｂ））。
【０１２２】
なお、この材質特定部８０への候補Ｋ２の出力の際には、上述の演算式にしたがった各材質に該当する確率も併せて材質特定部８０に出力する。
【０１２３】
なお、これら距離の計測処理（＃５２ａ）および材質候補Ｋ２の出力処理（＃５２ｂ）の一連の処理を、図３においてステップ５２（＃５２）と表記している。
【０１２４】
また、質感情報取得部３０によって得られた廃棄物２００の質感情報Ｍ３は、材質判別部４０の第３判別部７０に入力されるが、この第３判別部７０には、図示を略した記憶部を備えており、この記憶部には、図１１に示す廃棄物２００の材質ごとに対応した標準偏差値σの基準値（基準標準偏差値）が予め記憶されている。
【０１２５】
なお、図１１に示した材質ごとの基準標準偏差値σおよびＬ＊値の単純な平均値Ａｖｅは、予め実験的、経験的に求められた値である。
【０１２６】
そして、第３判別部７０は、入力された質感情報Ｍ３が表す標準偏差値σと、記憶部に記憶されている各材質の基準標準偏差値とを比較し（図１２においてステップ５３ａ（＃５３ａ））、最も差分の小さい基準標準偏差値に対応した材質を候補Ｋ３として選択し、材質特定部８０に出力する（ステップ５３ｂ（＃５３ｂ））。
【０１２７】
なお、これら基準標準偏差値との比較処理（＃５３ａ）および材質候補Ｋ３の出力処理（＃５３ｂ）の一連の処理を、図３においてステップ５３（＃５３）と表記している。
【０１２８】
以上のように、第１判別部５０から第１の判別結果（材質候補）Ｋ１、第２判別部６０から第２の判別結果（材質候補）Ｋ２、第３判別部７０から第３の判別結果（材質候補）Ｋ３がそれぞれ入力された材質特定部８０は、第１の判別結果Ｋ１、第２の判別結果Ｋ２および第３の判別結果Ｋ３に対して、所定の重み付けを行うことにより、これら判別結果Ｋ１，Ｋ２，Ｋ３を統合して廃棄物２００の材質を最終的に一つに特定し、その特定された単一の材質Ｋに関する情報を判別結果として出力する（＃５４）。
【０１２９】
これら３つの判別結果Ｋ１，Ｋ２，Ｋ３を統合して最終的に一つの判別結果を特定する処理の具体的な方法としては、ベイズ推定（Bayes理論に基づく推定）やデンプスター・シェイファー（Dempster＆Shafer）理論に基づく統合などを適用することができる。
【０１３０】
以上、詳細に説明したように、本実施形態に係る廃棄物２００の材質判別装置１００およびその作用である材質判別方法によれば、形状情報取得部１０に入力された画像情報Ｓに基づいて取得された形状情報Ｍ１、色情報取得部２０に入力された画像情報Ｓに基づいて取得された色情報Ｍ２および質感情報取得部３０に入力された画像情報Ｓに基づいて取得された質感情報Ｍ３という３つの外観情報に基づいて、材質判別部４０が、その画像情報Ｓが表す画像Ｐに含まれた廃棄物２００の材質を判別するため、従来のように、形状情報Ｍ１にのみ基づいた材質判別や色情報Ｍ２にのみ基づいた材質判別に比べて、判別精度を格段に高めることができる。
【０１３１】
図１３は、この効果を実証した例を示すグラフであり、アルミ、コンクリート、プラスチック、鉄（錆付きあり）、木材、鉄（錆付きなし）の各材質の廃棄物２００について、本実施形態の材質判別装置１００および材質判別方法により、その材質の判別結果の正解率を表したものである。
【０１３２】
図示において、ａ＊ｂ＊色差による材質判別は、色情報（本実施形態における色情報Ｍ２に対応する。）のみに依存した従来の材質判別処理を表し、ベイズ推定（Bayes理論に基づく推定）およびデンプスター・シェイファー（Dempster＆Shafer）理論に基づく統合による材質判定は、本実施形態の材質判別装置１００および材質判別方法における、材質特定部８０の処理（＃５４）において、ベイズ推定、デンプスター・シェイファー理論をそれぞれ適用した材質判別処理を表している。
【０１３３】
このグラフから解されるように、全ての材質について、ベイズ推定を用いた本実施形態の材質判別処理またはデンプスター・シェイファー理論を用いた本実施形態の材質判別処理は、従来の材質判別処理よりも正解率が高いことが実証された。
【０１３４】
なお、ベイズ推定を用いた材質判別処理も、デンプスター・シェイファー理論を用いた材質判別処理も、材質によっては、従来の材質判別処理の正解率を下回る場合があるため、ベイズ推定を用いた材質判別処理とデンプスター・シェイファー理論を用いた材質判別処理とをそれぞれ行って、両者のうち、より確度の高い方の材質を選択するようにしてもよい。
【０１３５】
このようにして本実施形態の材質判別装置１００から出力された材質Ｋに関する情報は、材質判別装置１００外の操作処理装置１８０に入力され、操作処理装置１８０は、位置検出装置１９０から入力された廃棄物２００の位置に関する情報Ｌおよび材質判別装置１００から入力された材質Ｋに応じて、その廃棄物２００を、例えば、その材質Ｋに適した把持力（材質ごとの脆性や重量に適合した把持力）で把持し、その材質Ｋの種類別に分別された場所まで搬送する。
【０１３６】
このとき、本実施形態の材質判別装置１００は、廃棄物２００の材質Ｋを従来よりも精度よく判別することができるため、廃棄物２００を把持する際の把持力を従来よりも適切に設定することができる。
【０１３７】
また、廃棄物２００を把持したままで旋回することで廃棄物２００に遠心力が作用し、あるいは動き始めの加速や停止の際の減速で廃棄物２００に慣性力が作用する場合、廃棄物２００の質量の影響を受けるが、この廃棄物２００の質量は材質を精度よく判別することで、適切に推定することが可能となり、廃棄物２００を把持している把持力との関係で旋回速度や加減速度を適切に設定することも可能となる。
【０１３８】
さらに、本実施形態に係る廃棄物２００の材質判別装置１００および材質判別方法によれば、材質判別部４０が、形状情報Ｍ１、色情報Ｍ２および質感情報Ｍ３という３つの外観情報に基づいて一つの材質Ｋを特定するに際して、これら３つの外観情報から直接一つの材質を特定するのではなく、材質判別部４０の第１判別部５０が形状情報Ｍ１に基づいて第１の判別結果（第１の材質候補）Ｋ１を得、材質判別部４０の第２判別部６０が色情報Ｍ２に基づいて第２の判別結果（第２の材質候補）Ｋ２を得、材質判別部４０の第３判別部７０が質感情報Ｍ３に基づいて第３の判別結果（第３の材質候補）Ｋ３を得、このようにして得られた３つの判別結果（第１の判別結果Ｋ１、第２の判別結果Ｋ２、第３の判別結果Ｋ３）に対して、材質特定部８０が所定の重み付けを行うことにより、廃棄物２００の材質Ｋを特定するため、周囲の環境など状況ごとに適切な判別結果（Ｋ１，Ｋ２，Ｋ３のいずれか）を重視した判別結果Ｋを得ることができ、材質判別の正答率を一層高めることができる。
【０１３９】
また、本実施形態に係る材質判別装置１００によれば、色情報Ｍ２は、色情報取得部２０によって、画像情報Ｓのうち廃棄物２００の像の色彩を表す色彩情報（ａ＊値およびｂ＊値の組合せ等）に基づいて取得することができ、質感情報Ｍ３は、質感情報取得部３０によって、画像情報Ｓのうち廃棄物２００の像の明度差のばらつきを表す明度差ばらつき情報（標準偏差値σ）に基づいて取得することができるため、色情報取得部２０および質感情報取得部３０はそれぞれ簡単な信号処理によって色情報Ｍ２および質感情報Ｍ３を得ることができる。
【０１４０】
さらにまた、本実施形態に係る材質判別装置１００によれば、色情報取得部２０は、色情報Ｍ２を、画像情報ＳをＣＩＥ表色系Ｌ＊ａ＊ｂ＊で表したときのａ＊値およびｂ＊値により規定し、質感情報取得部３０は、明度を、ＣＩＥ表色系Ｌ＊ａ＊ｂ＊で表したときのＬ＊値により規定し、明度差ばらつき情報を、Ｌ＊値で規定された座標系に対してラプラシアンフィルタ処理を施し、ラプラシアンフィルタ処理後の座標系における標準偏差値σを算出することにより規定するため、色彩情報および明度差ばらつき情報という２つの情報を、共通のＣＩＥ表色系Ｌ＊ａ＊ｂ＊に基づいて得ることができ、演算処理を省力化することができる。
【０１４１】
また、本実施形態に係る材質判別装置１００によれば、形状情報取得部１０が、画像情報Ｓに対してエッジ抽出処理という簡単な信号処理によって輪郭形状という形状情報Ｍ１を得ることができる。
【０１４２】
そして、材質判別部４０が、この得られた形状情報Ｍ１を、各材質ごとに予め対応付けられた基準となる形状（基準形状）と比較して、近い基準形状のものを選択することで、その基準形状に近い廃棄物２００の材質を特定（第１の判別結果）することができる。
【０１４３】
また、本実施形態に係る材質判別装置１００によれば、材質判別の対象となる廃棄物が、建設物を解体乃至破砕して得られた建設系廃棄物２００であるため、廃棄物２００の材質を、コンクリート、プラスチック、アルミ、木材、鉄などの数種類に予め限定することができ、材質の判別精度を一層高めることができる。
【０１４４】
さらにまた、建設系廃棄物２００は、屋外に積み上げられた状態で置かれていることが多いため、日照状況や、散水、降雨などの影響によって、その色彩も大きく変化し、錆や中性化、付着した汚れなどによっても色彩は変化するため色情報Ｍ２だけで精度のよい材質判別を行うのは難しいが、本実施形態の材質判別装置および材質判別方法は、形状情報Ｍ１や色情報Ｍ２の他に質感情報Ｍ３も加味した３種類の外観情報で材質を判別するため、材質判別の対象として建設系廃棄物２００を適用した場合に、より効果的に精度のよい判別結果を得ることができる。
【０１４５】
なお、本実施形態に係る廃棄物２００の材質判別装置１００およびその作用である材質判別方法においては、形状情報Ｍ１に基づいて第１の判別結果Ｋ１を求め、色情報Ｍ２に基づいて第２の判別結果Ｋ２を求め、質感情報Ｍ３に基づいて第３の判別結果Ｋ３を求めるという第一段階のステップ（＃５１，＃５２，＃５３）と、その後の、第１の判別結果Ｋ１、第２の判別結果Ｋ２および第３の判別結果Ｋ３を統合して一つの判別結果Ｋを得るという第二段階のステップ（＃５４）とが、別のステップとされていたが、本発明に係る廃棄物の材質判別装置および材質判別方法は、この形態に限定されるものではなく、形状情報Ｍ１、色情報Ｍ２および質感情報Ｍ３という３つの外観情報に基づいて単一の材質を特定するものであればよく、材質判別部４０を、第１判別部５０、第２判別部６０、第３判別部７０および材質特定部８０という別個の構成とする形態に限定されるものでもない。
（実施形態２）
以上説明した実施形態１では、入力される画像情報Ｓが表す画像Ｐは、一つの廃棄物２００の像のみ（図２において、（ａ）〜（ｅ）のうちいずれか一つのみ）が含まれるものであるが、本発明に係る廃棄物の材質判別装置は、この形態に限定されるものではない。
【０１４６】
すなわち、図１４は、例えば図４（ａ）または図６（ａ）に示すような複数の廃棄物２００が含まれる画像Ｐを対象とし、この画像Ｐに含まれるいずれか一つの廃棄物２００の材質を判別対象とする、本発明の一実施形態に係る廃棄物の材質判別装置１００の構成を示すブロック図である。
【０１４７】
図示の材質判別装置１００は、図１に示した実施形態１の材質判別装置１００と、基本的な構成は同一であるため、この同一の構成についての説明は省略する。
【０１４８】
図１４に示した実施形態２の材質判別装置１００は、図１に示した材質判別装置１００に対して、入力された画像情報Ｓが表す画像Ｐを可視画像として表示するモニタ９２（画像表示部）と、モニタ９２に表示された画像Ｐのうち、任意の領域を特定する操作が入力されるタッチパネル９３（領域特定入力操作部）と、入力された画像情報Ｓのうち、タッチパネル９３により特定された例えば領域Ｐ′（図４（ａ）、図６（ａ）参照）に対応する画像情報を特定領域画像情報Ｓ′として抽出する抽出部９４（特定領域抽出部）と、モニタ９２および抽出部９４への画像情報Ｓの送出を制御する表示制御部９１とをさらに備えた構成である。
【０１４９】
また、実施形態１の材質判別装置１００は、カメラ１１０から入力された画像Ｐ全体を表す画像情報Ｓに基づいて、形状情報Ｍ１、色情報Ｍ２および質感情報Ｍ３を取得する構成であるが、実施形態２の材質判別装置１００は、抽出部９４により抽出された特定領域画像情報Ｓ′に基づいて、形状情報取得部１０は、特定領域画像情報Ｓ′に含まれる廃棄物２００の形状情報Ｍ１を取得し、色情報取得部２０は、特定領域画像情報Ｓ′に含まれる廃棄物２００の色情報Ｍ２を取得し、質感情報取得部３０は、特定領域画像情報Ｓ′に含まれる廃棄物２００の質感情報Ｍ３を取得し、材質判別部４０は、特定領域画像情報Ｓ′に含まれる廃棄物２００の材質を判別する。
【０１５０】
すなわち、実施形態２の材質判別装置１００は、多数の廃棄物２００が含まれた画像Ｐのうち、一つの廃棄物２００のみが含まれた画像Ｐ′が材質判別処理の対象となるように、対象画像情報Ｓを処理する構成が追加されている点を除いて、実施形態１の材質判別装置１００と基本的に同一の構成である。
【０１５１】
このように構成された実施形態２の材質判別装置１００によれば、図１５のフローチャートに示すように、カメラ１１０から表示制御部９１に、全体画像Ｐを表す画像情報Ｓが入力され（＃１０）、表示制御部９１はモニタ９２に全体画像Ｐを表示する（＃１１）とともに、モニタ９２に表示された全体画像Ｐのうち、使用者が材質判別の対象としようとする一つの廃棄物２００を含む領域Ｐ′が、モニタ９２に重ね合わされたタッチパネル９３に入力されるのを待つ（＃１２）。
【０１５２】
そして、材質判別の対象となる廃棄物２００を含む領域がタッチパネル９３によって特定されると、その特定された領域Ｐ′が、抽出部９４に入力され、抽出部９４は、表示制御部９１から入力された全体画像Ｐを表す画像情報Ｓのうちから、特定された領域Ｐ′に対応する画像情報（特定領域画像情報）Ｓ′を抽出し（＃１３）、形状情報取得部１０は、特定領域画像情報Ｓ′に含まれる廃棄物２００の形状情報Ｍ１を取得し（＃２０）、色情報取得部２０は、特定領域画像情報Ｓ′に含まれる廃棄物２００の色情報Ｍ２を取得し（＃３０）、質感情報取得部３０は、特定領域画像情報Ｓ′に含まれる廃棄物２００の質感情報Ｍ３を取得し（＃４０）、材質判別部４０は、これらの形状情報Ｍ１、色情報Ｍ２および質感情報Ｍ３に基づいて、特定領域画像情報Ｓ′に含まれる廃棄物２００の材質を最終的に判別する（＃５０）。
【０１５３】
以上、説明したように、実施形態２の材質判別装置１００およびその作用である材質判別方法によれば、形状情報取得部１０に入力された特定領域画像情報Ｓ′に基づいて取得された形状情報Ｍ１、色情報取得部２０に入力された特定領域画像情報Ｓ′に基づいて取得された色情報Ｍ２および質感情報取得部３０に入力された特定領域画像情報Ｓ′に基づいて取得された質感情報Ｍ３という３つの外観情報に基づいて、材質判別部４０が、その特定領域画像情報Ｓ′が表す画像Ｐ′に含まれた廃棄物２００の材質を判別するため、従来のように、形状情報Ｍ１にのみ基づいた材質判別や色情報Ｍ２にのみ基づいた材質判別に比べて、判別精度を格段に高めることができる。
【０１５４】
また、本実施形態２の材質判別装置１００は、実施形態１の材質判別装置１００による他の効果も同様に発揮することができる。
【０１５５】
さらに、本実施形態２の材質判別装置１００は、一つの廃棄物２００のみが含まれている画像Ｐを表す画像情報Ｓのみを対象とする実施形態１の材質判別装置１００とは異なり、複数の廃棄物２００が含まれている画像Ｐを表す画像情報Ｓをも対象とすることができ、実施形態１の材質判別装置１００よりも、高い汎用性を実現することができる。
【０１５６】
上述した各実施形態１，２の材質判別装置１００は、建設系廃棄物２００を材質判別の対象とすることに限定されるものではなく、建設系廃棄物以外の産業廃棄物や、一般的な家庭から排出される廃棄物、またはリサイクル用途目的で排出された廃棄物なども対象にすることができることはいうまでもない。
【図面の簡単な説明】
【０１５７】
【図１】本発明の一実施形態（実施形態１）に係る材質判別装置の構成を示すブロック図である。
【図２】図１に示した材質判別装置によって材質判別の対象となる廃棄物の一例である建設系廃棄物を示す模式図であり、（ａ）はコンクリート片、（ｂ）はアルミ棒材片、（ｃ）はプラスチック管材片、（ｄ）は鉄筋材片、（ｄ）は木材片をそれぞれ示す。
【図３】図１に示した材質判定装置の作用を説明するフローチャートである。
【図４】図２に示した複数種類の材質の廃棄物が一つの画像に含まれている状態を示す模式図（その１）であり、（ａ）は全体画像、（ｂ）は（ａ）の一部を拡大した画像をそれぞれ表す。
【図５】（ａ）は図４（ｂ）の画像の明度の分布をマトリックス状の座標系において表現した模式図、（ｂ）は（ａ）をラプラシアンフィルタ処理した後のマトリックス状の座標系において表現した模式図である。
【図６】図２に示した複数種類の材質の廃棄物が一つの画像に含まれている状態を示す模式図（その２）であり、（ａ）は全体画像、（ｂ）は（ａ）の一部を拡大した画像をそれぞれ表す。
【図７】（ａ）は図６（ｂ）の画像の明度の分布をマトリックス状の座標系において表現した模式図、（ｂ）は（ａ）をラプラシアンフィルタ処理した後のマトリックス状の座標系において表現した模式図である。
【図８】第１の判別処理の詳細を説明するフローチャートである。
【図９】廃棄物の材質ごとに対応したａ＊値とｂ＊値とによるａ＊ｂ＊座標系における基準位置を表す模式図である。
【図１０】第２の判別処理の詳細を説明するフローチャートである。
【図１１】廃棄物の材質ごとに対応した標準偏差の基準値（基準標準偏差値）を示すグラフである。
【図１２】第３の判別処理の詳細を説明するフローチャートである。
【図１３】実施形態１の材質判別装置による効果を実証した例を示すグラフである。
【図１４】本発明の一実施形態（実施形態２）に係る材質判別装置の構成を示すブロック図である。
【図１５】図１４に示した材質判定装置の作用を説明する簡略化したフローチャートである。
【符号の説明】
【０１５８】
１０    形状情報取得部
２０    色情報取得部
３０    質感情報取得部
４０    材質判別部
１００  材質判別装置
１１０  カメラ
２００  建設系廃棄物（廃棄物）
Ｍ１    形状情報
Ｍ２    色情報
Ｍ３    質感情報
【図１】
2010038689.tif 000003
【図２】
2010038689.tif 000004
【図３】
2010038689.tif 000005
【図４】
2010038689.tif 000006
【図５】
2010038689.tif 000007
【図６】
2010038689.tif 000008
【図７】
2010038689.tif 000009
【図８】
2010038689.tif 000010
【図９】
2010038689.tif 000011
【図１０】
2010038689.tif 000012
【図１１】
2010038689.tif 000013
【図１２】
2010038689.tif 000014
【図１３】
2010038689.tif 000015
【図１４】
2010038689.tif 000016
【図１５】
2010038689.tif 000017